(57)【要約】【課題】  新たに生成される画像ファイルにファイル名を付ける際に、同じ分類に属する他の画像ファイルに既に付されているファイル名と同じファイル名を付してしまうことを防ぐとともに、ファイル名の作成に要するユーザーの手間を省くようにする。【解決手段】  画像読取装置２は、原稿を読み取って画像データを生成する画像読取部１１と、画像データから画像ファイルを生成する制御部１０と、予め定められる標準ファイル名を記憶するＨＤＤ１９とを備える。制御部１０は、画像ファイルを生成するときに、操作部１５を介して分類名を受け付けると、生成された画像ファイルに対応するファイル名として、受け付けた分類名に分類される画像ファイルごとに異なる識別情報を含むファイル名を生成する。【選択図】図５
2020038575.tif 000002
【特許請求の範囲】
【請求項１】
原稿を読み取って画像データを生成する画像読取部と、
前記画像データから画像ファイルを生成する制御部と、
前記画像ファイルを分類するために予め定められる分類情報を記憶する記憶部と、
ユーザーによる指示が入力される入力部と、を備え、
前記制御部は、前記画像ファイルを生成するときに、前記入力部を介して前記分類情報を受け付けると、生成された前記画像ファイルに対応するファイル名として、受け付けた前記分類情報に分類される前記画像ファイルごとに異なる識別情報を含むファイル名を生成する、画像読取装置。
【請求項２】
前記識別情報は、前記画像ファイルが生成される順序に応じて付される通し番号である、請求項１に記載の画像読取装置。
【請求項３】
前記記憶部は、予め定められる標準ファイル名と、前記分類情報とを対応付けて記憶し、
前記制御部は、受け付けた前記分類情報に対応付けられている前記標準ファイル名に、前記識別情報を追加することで前記ファイル名を生成する、請求項１又は請求項２に記載の画像読取装置。
【請求項４】
前記制御部は、前記入力部を介して、前記標準ファイル名とは異なるファイル名を受け付けた場合には、受け付けた前記ファイル名に、前記識別情報を追加することで前記ファイル名を生成する、請求項３に記載の画像読取装置。
【請求項５】
前記制御部は、前記入力部を介して、前記画像ファイルの保存先を受け付けた場合に、前記画像ファイルを、生成された前記ファイル名を付して、受け付けた前記保存先に記憶させる、請求項１乃至請求項４のいずれかに記載の画像読取装置。
【請求項６】
原稿を読み取って画像データを生成する画像読取部と、前記画像ファイルを分類するために予め定められる分類情報を記憶する記憶部と、ユーザーによる指示が入力される入力部と、を備える画像読取装置と接続されるコンピューターを、
前記画像データから前記画像ファイルを生成し、
前記画像ファイルを生成するときに、前記入力部を介して前記分類情報を受け付けると、生成された前記画像ファイルに対応するファイル名として、受け付けた前記分類情報に分類される前記画像ファイルごとに異なる識別情報を含むファイル名を生成するように機能させる、生成制御プログラム。
【発明の詳細な説明】
【技術分野】
【０００１】
本発明は、画像読取装置及び生成制御プログラムに関し、特に、画像ファイルのファイル名を生成する技術に関する。
【背景技術】
【０００２】
画像ファイルに対応するファイル名を生成する技術が知られている。例えば、特許文献１には、記憶媒体に記憶されている複数のファイルに付されている元のファイル名を、ユーザーによって予め設定されているルールに基づいて生成される新しいファイル名に、一括して変更するファイル管理装置が開示されている。特許文献１にはまた、新しいファイル名に、任意の文字列、撮影日時、又は連番等を含ませる技術が開示されている。
【先行技術文献】
【特許文献】
【０００３】
【特許文献１】特開２００６−２０９６６２号公報
【発明の概要】
【発明が解決しようとする課題】
【０００４】
スキャナー機能を利用して新たに生成される画像ファイルに対して、ユーザーは、他の画像ファイルに既に付されているファイル名と同じファイル名を付してしまうことがある。このような場合、他の画像ファイルに対して新たに生成される画像ファイルが上書き保存されてしまうことによって、ユーザーの意に反して、他の画像ファイルが削除されてしまうことがある。特に、同じ分類に属する画像ファイルに対しては同じファイル名が付される可能性が高く、上記の問題が生じやすい。
【０００５】
このような問題を回避するために、ユーザーは、ファイル名を作成する際に、同じ分類に属する他の画像ファイルに既に付されているファイル名と重複しないように注意する必要があり、手間がかかる。
【０００６】
特許文献１に開示される技術は、既に付されている元のファイル名を変更する技術であるため、上記した問題を解決することはできない。
【０００７】
本発明は、上記の事情に鑑みなされたものであり、新たに生成される画像ファイルにファイル名を付ける際に、同じ分類に属する他の画像ファイルに既に付されているファイル名と同じファイル名を付してしまうことを防ぐとともに、ファイル名の作成に要するユーザーの手間を省くことを目的とする。
【課題を解決するための手段】
【０００８】
本発明の一局面に係る画像読取装置は、原稿を読み取って画像データを生成する画像読取部と、画像データから画像ファイルを生成する制御部と、画像ファイルを分類するために予め定められる分類情報を記憶する記憶部と、ユーザーによる指示が入力される入力部と、を備える。制御部は、画像ファイルを生成するときに、入力部を介して分類情報を受け付けると、生成された画像ファイルに対応するファイル名として、受け付けた分類情報に分類される画像ファイルごとに異なる識別情報を含むファイル名を生成する。
【０００９】
本発明の他の一局面に係る生成制御プログラムは、原稿を読み取って画像データを生成する画像読取部と、画像ファイルを分類するために予め定められる分類情報を記憶する記憶部と、ユーザーによる指示が入力される入力部と、を備える画像読取装置と接続されるコンピューターを、画像データから画像ファイルを生成し、当該画像ファイルを生成するときに、入力部を介して分類情報を受け付けると、生成された画像ファイルに対応するファイル名として、受け付けた分類情報に分類される画像ファイルごとに異なる識別情報を含むファイル名を生成するように機能させる。
【発明の効果】
【００１０】
本発明によれば、同じ分類名に分類される画像ファイルに対して、異なるファイル名が付されるので、ユーザーが、新たに生成される画像ファイルに対して、同じ分類に属する他の画像ファイルに既に付されているファイル名と同じファイル名を付してしまうことを防ぐことができるので、他の画像ファイルに対して新たに生成される画像ファイルが上書き保存されてしまうことによって、ユーザーの意に反して、他の画像ファイルが削除されてしまうことを防ぐことができる。また、ファイル名の作成に要するユーザーの手間を省くことができるので、ユーザーの利便性が向上する。
【図面の簡単な説明】
【００１１】
【図１】本発明の一実施形態に係る画像読取装置を含む画像形成装置の外観を示す斜視図である。
【図２】本発明の一実施形態に係る画像読取装置を含む画像形成装置の内部構成を示すブロック図である。
【図３】ホーム画面の一例を示す図である。
【図４Ａ】標準ファイル名を設定するときの設定画面の状態を示す図である。
【図４Ｂ】標準ファイル名を確認するときの設定画面の状態を示す図である。
【図５】ファイル名生成処理を示すフローチャートである。
【図６】送信画面の一例を示す図である。
【図７Ａ】入力画面の一例を示す図である。
【図７Ｂ】標準ファイル名を選択するときの入力画面の状態を示す図である。
【図８】選択画面の一例を示す図である。
【図９】共有フォルダーに保存されている画像ファイルの一例を示す図である。
【図１０】共有フォルダーに保存されている画像ファイルの他の一例を示す図である。
【図１１Ａ】標準ファイル名を選択しないときの入力画面の状態を示す図である。
【図１１Ｂ】指定ファイル名を入力するときの入力画面の状態を示す図である。
【図１２】入力画面の他の一例を示す図である。
【発明を実施するための形態】
【００１２】
以下、本発明の一実施形態に係る画像読取装置について図面を参照して説明する。図１は、本発明の一実施形態に係る画像読取装置を含む画像形成装置の外観を示す斜視図である。図１を参照して、画像形成装置１は、ファクシミリ機能、コピー機能、プリンター機能、及びスキャナー機能等の複数の機能を兼ね備える複合機である。
【００１３】
画像形成装置１は、画像ファイルを、ユーザーによって指定される送信先のフォルダーに保存するフォルダー送信機能を備える。フォルダー送信機能は、ＰＣ(Personal Computer)の共有フォルダーに画像ファイルを保存するＳＭＢ(Server Message Block)送信機能と、ＦＴＰ(File Transfer Protocol)サーバーのフォルダーに画像ファイルを保存するＦＴＰ送信機能と、を備える。ＳＭＢ送信機能又はＦＴＰ送信機能を利用する場合、送信先として、少なくとも、ホスト名又はＩＰアドレス、及びフォルダーのパスが、ユーザーによって指定される。
【００１４】
画像形成装置１は、ユーザーによって指定される電子メールアドレスに画像ファイルを送信するＳＭＴＰ(Simple Mail Transfer Protocol)送信機能を備える。ＳＭＴＰ機能を利用する場合、送信先として、少なくとも電子メールアドレスが、ユーザーによって指定される。
【００１５】
画像形成装置１は、スキャナー機能によって画像ファイルを生成するときに、予め定められる標準ファイル名に、画像ファイルごとに異なる識別情報を追加することで、生成された画像ファイルに対応するファイル名を生成する処理（以下、「ファイル名生成処理」と記す。）を実行する機能を有する。
【００１６】
図１を参照して、画像形成装置１の筐体７には、画像形成装置１の様々な機能を実現するための複数の機器が収容されている。例えば、筐体７には、画像読取部１１、画像形成部１２（図１には図示しない。）、定着部１３（図１には図示しない。）、及び給紙部１４等が収容されている。
【００１７】
画像読取部１１は、原稿を搬送する原稿搬送部６と、原稿搬送部６により搬送される原稿又は不図示のコンタクトガラスに載置される原稿を光学的に読み取るスキャナーと、を含むＡＤＦ（Auto Document Feeder）である。画像読取部１１は、光照射部により原稿を照射し、その反射光をＣＣＤ（Charge-Coupled Device）センサーで受光することによって、原稿を読み取って画像データを生成する。
【００１８】
画像形成部１２は、感光体ドラム、帯電装置、露光装置、現像装置、及び転写装置を含む。画像形成部１２は、画像読取部１１によって生成される画像データ、ネットワークを介して接続されるＰＣから送られる画像データ、又は他のファクシミリ装置から送られる画像データ等に基づいて、給紙部１４から供給される記録紙にトナー像によって構成される画像を形成する。
【００１９】
定着部１３は、画像形成部１２によって表面にトナー像が形成された記録紙を加熱及び加圧することによってトナー像を記録紙に定着させる。定着部１３によってトナー像が定着された記録紙は排紙トレイ８に排出される。
【００２０】
給紙部１４は、用紙カセットに収容される記録紙、又は手差しトレイに載置される記録紙を図示しないピックアップローラーによって１枚ずつ引出して画像形成部１２へと送り出す。
【００２１】
画像形成装置１は、操作部１５を備える。ユーザーは、操作部１５を介して、画像形成装置１によって実行可能な各種機能についての指示等を入力する。操作部１５は、ハードキーとして、各種機能の実行の開始を指示するための図略のスタートキーを含む。操作部１５はまた、表示部１６を含む。表示部１６は、液晶ディスプレイを含む表示装置である。表示部１６は、画像形成装置１によって実行可能な各種機能に関する各種の画面を表示する。操作部１５はさらに、表示部１６に重ねて配置されるタッチパネル１５Ａを含む。操作部１５は、特許請求の範囲における入力部の一例である。
【００２２】
図２は、本発明の一実施形態に係る画像読取装置を含む画像形成装置の内部構成を示すブロック図である。図２を参照して、画像形成装置１は、制御ユニット１００を含む。制御ユニット１００は、プロセッサー、ＲＡＭ(Random Access Memory）、及びＲＯＭ（Read Only Memory）等を含む。プロセッサーは、例えば、ＣＰＵ（Central Processing Unit）、ＭＰＵ（Micro Processing Unit）、又はＡＳＩＣ（Application Specific Integrated Circuit）等である。制御ユニット１００は、内蔵するＲＯＭ又はＨＤＤ（Hard Disk Drive）１９に記憶されている制御プログラムが上記のプロセッサーによって実行されることにより、制御部１０として機能する。
【００２３】
制御ユニット１００は、原稿搬送部６、画像読取部１１、画像形成部１２、定着部１３、給紙部１４、操作部１５、画像処理部１７、画像メモリー１８、ＨＤＤ１９、ファクシミリ通信部２０、及び通信部２１等と電気的に接続される。本実施の形態において、原稿搬送部６、画像読取部１１、操作部１５、表示部１６、ＨＤＤ１９、通信部２１、及び制御ユニット１００は、画像読取装置２として機能する。
【００２４】
制御部１０は、画像形成装置１の全体制御を司る。より詳細には、制御部１０は、画像形成装置１の各部の動作、及び、ネットワークを介して接続されるＰＣ又はＷｅｂサーバー等の情報処理装置２２との通信等を制御する。
【００２５】
画像処理部１７は、画像読取部１１によって生成される画像データに対して、必要に応じて画像処理を実行する。
【００２６】
画像メモリー１８は、画像読取部１１によって生成される印刷対象の画像データを一時的に記憶する領域を含む。
【００２７】
ＨＤＤ１９は、画像読取部１１によって生成される画像データ等を含む各種データを記憶する大容量の記憶装置である。ＨＤＤ１９は、画像形成装置１の一般的な動作を実現するための各種制御プログラムを記憶する。ＨＤＤ１９は、特許請求の範囲における記憶部の一例である。
【００２８】
ＨＤＤ１９は、本実施の形態に係るファイル名生成処理を実行するための生成制御プログラムを記憶する。上記のプロセッサーは、生成制御プログラムに従って動作することにより、制御部１０として、ファイル名生成処理を実行する。生成制御プログラムは、上記制御プログラムの１つであるものとする。
【００２９】
なお、制御部１０は、制御プログラムに基づく動作によらず、ハード回路により動作可能に構成されてもよいし、２つ以上の制御ユニットによって実現される構成であってもよい。
【００３０】
ＨＤＤ１９は、標準ファイル名と、画像ファイルが生成される順序に応じて付される通し番号を示す変数と、画像ファイルを分類するために予め定められる分類情報と、をそれぞれ対応付けて記憶する。通し番号を示す変数は、同じ分類名に分類される画像ファイルごとに異なる数値であって、画像ファイルを識別するための識別情報である。分類情報は、画像ファイルを分類可能な情報であれば特に限定されないが、本実施の形態では、分類情報として、原稿の種類等を示す分類名が使用される。
【００３１】
標準ファイル名及び分類名は、画像形成装置１の標準設定として予め設定されているものと、ユーザーによる操作部１５を介した入力によって予め設定されるものとがある。
【００３２】
本実施の形態では、ＨＤＤ１９は、画像形成装置１の標準設定として予め設定されている分類名として、「ジョブ番号」を記憶している。ＨＤＤ１９は、ユーザーによる操作部１５を介した入力によって予め設定されている分類名として、「履歴書」及び「証明書」を記憶している。
【００３３】
ＨＤＤ１９は、標準ファイル名である「doc」を、分類名である「ジョブ番号」に対応付けて記憶している。ＨＤＤ１９は、標準ファイル名である「resume」及び「cert」を、分類名である「履歴書」及び「証明書」のそれぞれに対応付けて記憶している。
【００３４】
制御部１０は、操作部１５を介して分類名を受け付けると、受け付けた分類名に対応する標準ファイル名に、受け付けた分類名に対応する変数によって示される通し番号を追加することでファイル名を生成する。
【００３５】
例えば、制御部１０は、「履歴書」を示す分類名を受け付けた場合であって、当該分類名に対応する変数が「１」を示す場合には、「resume 1」というファイル名を生成する。制御部１０は、「証明書」を示す分類名を受け付けた場合であって、当該分類名に対応する変数が「２」を示す場合には、「cert 2」というファイル名を生成する。
【００３６】
ファクシミリ通信部２０は、公衆回線への接続を行ない、公衆回線を介して画像データの送受信を行なう。
【００３７】
通信部２１は、ＬＡＮボード等の通信モジュールを含む。画像形成装置１は、通信部２１を介して、ネットワーク上のＰＣ又はＷｅｂサーバー等の情報処理装置２２とデータ通信を行なう。
【００３８】
画像形成装置１の各部には図示しない電源が接続され、この電源から電力が供給されることによって、画像形成装置１の各部が動作する。
【００３９】
［動作］
（１）標準ファイル名を設定する場合
以下、標準ファイル名を設定する場合における画像形成装置１の動作について説明する。
【００４０】
画像形成装置１の電源が投入されると、制御部１０は、表示部１６に、画像形成装置１によって実行可能な複数の機能のうちのいずれかを選択するためのホーム画面を表示させる。図３は、ホーム画面の一例を示す図である。図３を参照して、ホーム画面３０は、ソフトキーとして、コピー機能を選択するためのキー３２、送信機能を選択するためのキー３４、ファクシミリ機能を選択するためのキー３６、及び、標準ファイル名を設定するためのキー３８等を含む。
【００４１】
ユーザーは、標準ファイル名の設定を所望して、キー３８を押下したものとする。タッチパネル１５Ａによってキー３８の押下が検知されると、制御部１０は、表示部１６に、標準ファイル名を設定するための設定画面を表示させる。
【００４２】
図４Ａは、標準ファイル名を設定するときの設定画面の状態を示す図である。図４Ａを参照して、設定画面４０は、設定されている標準ファイル名を表示するための領域４１と、設定されている分類名を表示するための領域４２と、標準ファイル名を入力するための領域４３と、分類名を入力するための領域４４と、を含む。設定画面４０は、ソフトキーとして、領域４３及び領域４４にそれぞれ入力されている標準ファイル名及び分類名を設定する指示を入力するためのキー４５と、設定画面４０の表示を中止する指示を入力するためのキー４６と、を含む。
【００４３】
ユーザーは、領域４３に「My Receipt」という標準ファイル名を入力するとともに、領域４４に「領収書」という分類名を入力して、キー４５を押下したものとする。タッチパネル１５Ａによりキー４５の押下が検知されると、制御部１０は、「My Receipt」という標準ファイル名に、「領収書」という分類名を対応付けて、ＨＤＤ１９に記憶させる。制御部１０はさらに、変数ｉを新たに生成して、「領収書」という分類名に対応付けて記憶するとともに、変数ｉに「０」を代入する。ユーザーは、キー４５を押下した後、設定されている標準ファイル名を確認するために、ボタン４７を押下したものとする。
【００４４】
図４Ｂは、標準ファイル名を確認するときの設定画面の状態を示す図である。図４Ｂを参照して、タッチパネル１５Ａによってキー４７の押下が検知されると、制御部１０は、設定画面４０上に、プルダウンリスト４８を表示させる。プルダウンリスト４８は、ＨＤＤ１９に記憶されている全ての分類名を示す項目を含む。この場合、プルダウンリスト４８は、分類名として、「ジョブ番号」、「履歴書」、「証明書」、及び「領収書」をそれぞれ示す項目を含む。ユーザーは、プルダウンリスト４８を確認することで、「領収書」という分類名が新たに設定されていることを確認することができる。
【００４５】
ユーザーは、プルダウンリスト４８を確認して、「領収書」という分類名が表示されている部分４８Ａを押下したものとする。タッチパネル１５Ａにより部分４８Ａの押下が検知されると、制御部１０は、領域４２に「領収書」という分類名を表示させるとともに、領域４１に、当該分類名に対応する「My Receipt」という標準ファイル名を表示させる。ユーザーは、領域４１に表示されている標準ファイル名を確認することで、「領収書」という分類名に対応付けて「My Receipt」という標準ファイル名が、新たに設定されていることを確認することができる。ユーザーは、表示されている標準ファイル名を確認して、キー４６を押下したものとする。タッチパネル１５Ａによりキー４６の押下が検知されると、制御部１０は、表示部１６に、ホーム画面３０を再び表示させる。
【００４６】
（２）画像ファイルを送信する場合
図５は、ファイル名生成処理を示すフローチャートである。以下、画像ファイルを送信する場合の画像形成装置１の動作と併せて、ファイル名生成処理を実行するための生成制御プログラムの制御構造について説明する。上記の生成制御プログラムは、操作部１５に備えられる図略のスタートキーがユーザーによって押下されることによって、画像ファイルを送信する指示が入力されることによって実行される。以下、例えば、一枚目の原稿と記した場合は、「１」番目の通し番号に対応する原稿を示すものとする。
【００４７】
（２−１）標準ファイル名が入力される場合
（２−１−１）画像ファイルがフォルダー送信される場合
画像形成装置１により、ユーザーが、ＳＭＢ送信機能によって、二枚の領収書のそれぞれに対応する画像ファイルを、ネットワークを介して接続されるＰＣの共有フォルダーに保存する場合の処理を説明する。この場合、ユーザーはまず、一枚目の領収書についてのＳＭＢ送信機能の利用を所望して、ホーム画面３０のキー３４を押下する。タッチパネル１５Ａによりキー３４の押下が検知されると、制御部１０は、表示部１６に、送信機能の各種設定を行なうための送信画面を表示させる。
【００４８】
図６は、送信画面の一例を示す図である。図６を参照して、送信画面６０は、ソフトキーとして、予め登録されている送信先をワンタッチで入力するためのキー６１Ａ及び６１Ｂ等と、予め登録されている送信先のうちのいずれかを入力するためのアドレス帳を表示させるためのキー６２と、アドレス帳に登録されていない電子メールアドレスを入力するためのキー６３と、アドレス帳に登録されていないフォルダーのパス等を入力するためのキー６４と、画像ファイルのファイル形式を入力するためのキー６５と、ファイル名を入力するためのキー６６と、を含む。
【００４９】
ユーザーは、送信画面６０を確認して、例えば、ＰＣのホスト名及び共有フォルダーのパス等が予め登録されているキー６１Ａを押下することで、画像ファイルの送信先として、ＰＣの共有フォルダーを入力する。ユーザーはまた、送信画面６０のキー６５を押下することで表示部１６に表示される図略のファイル形式入力画面に対する入力操作によって、画像ファイルのファイル形式を入力する。この場合、ＪＰＥＧ(Joint Photographic Experts Group)形式が入力されたものとする。
【００５０】
ユーザーはさらに、ファイル名を入力するために、送信画面６０のキー６６を押下する。タッチパネル１５Ａによってキー６６の押下が検知されると、制御部１０は、表示部１６に、ファイル名を入力するための入力画面を表示させる。
【００５１】
図７Ａは、入力画面の一例を示す図である。図７Ａを参照して、入力画面７０は、入力されているファイル名を表示するための領域７１と、入力されている分類名を表示するための領域７２と、を含む。入力画面７０は、ソフトキーとして、ファイル名及び分類名の入力を確定する指示を入力するためのキー７３を含む。ユーザーは、領域７１に入力するファイル名として、分類名を選択するために、ボタン７４を押下したものとする。
【００５２】
図７Ｂは、標準ファイル名を選択するときの入力画面の状態を示す図である。図７Ｂを参照して、タッチパネル１５Ａによってキー７４の押下が検知されると、制御部１０は、入力画面７０上に、プルダウンリスト７５を表示させる。プルダウンリスト７５は、ＨＤＤ１９に記憶されている全ての分類名を示す項目と、分類名を選択しないことを示す「なし」という項目と、を含む。
【００５３】
ユーザーは、プルダウンリスト７５を確認して、「領収書」という分類名が表示されている部分７５Ａを押下したものとする。タッチパネル１５Ａによって部分７５Ａの押下が検知されると、制御部１０は、領域７２に「領収書」という分類名を表示させるとともに、領域７１に、当該分類名に対応する「My Receipt」という標準ファイル名を表示させる。ユーザーは、表示されている標準ファイル名及び分類名を確認して、キー７３を押下する。タッチパネル１５Ａによってキー７３の押下が検知されると、制御部１０は、領域７１及び領域７２にそれぞれ表示されている標準ファイル名及び分類名の入力を受け付ける。なお、ユーザーは、操作部１５を介して、標準ファイル名とは異なるファイル名を入力することができる。制御部１０は、操作部１５を介してファイル名の入力を受け付けた場合、領域７１に、受け付けたファイル名を表示させる。以下、ユーザーによって任意に作成されるファイル名を、「指定ファイル名」と記す。
【００５４】
標準ファイル名及び分類名の入力後、ユーザーは、画像読取部１１の図略のコンタクトガラスに、一枚目の領収書を載置して、操作部１５に備えられる図略のスタートキーを押下する。図５を参照して、制御部１０は、図略のスタートキーの押下を検知すると、画像読取部１１に対し、図略のコンタクトガラスに載置されている原稿を読み取らせて画像データを生成させる（ステップＳ１０）。制御部１０は、生成された画像データから、ＪＰＥＧ形式の画像ファイルを生成する（ステップＳ１１）。
【００５５】
画像ファイルの生成後、制御部１０は、分類名を受け付けているか否かを判定する（ステップＳ１２）。この場合、「領収書」という分類名を受け付けているので、制御部１０は、分類名を受け付けていると判定し（ステップＳ１２にてＹＥＳ）、受け付けた分類名に対応する変数ｉを「１」だけ増加させる（ステップＳ１３）。具体的には、制御部１０は、「領収書」という分類名に対応付けてＨＤＤ１９に記憶されている変数ｉを「１」だけ増加させる。これによって、変数ｉには「１」が代入される。
【００５６】
変数iの増加後、制御部１０は、受け付けた分類名に対応する標準ファイル名の末尾に、変数iによって示される数値を追加することで、生成された画像ファイルに対応するファイル名を生成する（ステップＳ１４）。具体的には、制御部１０は、「領収書」という分類名に対応付けてＨＤＤ１９に記憶されている「My Receipt」という標準ファイル名の末尾に、変数iによって示される数値である「１」を追加することで、「My Receipt 1」というファイル名を生成する。
【００５７】
ファイル名の生成後、制御部１０は、画像ファイルの送信先がフォルダーであるか否かを判定する（ステップＳ１５）。この場合、指定されている送信先はＰＣの共有フォルダーであるので、制御部１０は、画像ファイルの送信先がフォルダーであると判定し（ステップＳ１５にてＹＥＳ）、生成されたファイル名と同じファイル名が付されている画像ファイルが、送信先のフォルダーに保存されているか否かを判定する（ステップＳ１６）。
【００５８】
この場合、ＰＣの共有フォルダーには、「My Receipt 1」というファイル名が付されている他の画像ファイルが保存されていないものとする。制御部１０は、生成されたファイル名と同じファイル名が付されている画像ファイルが、送信先のフォルダーに保存されていないと判定し（ステップＳ１６にてＮＯ）、生成された画像ファイルに生成されたファイル名を付して、通信部２１を介して、指定されている送信先に当該画像ファイルを送信する（ステップＳ１７）。これによって、「My Receipt 1」というファイル名が付されたＪＰＥＧ形式の画像ファイルが、ＰＣの共有フォルダーに保存される。
【００５９】
一方、ＰＣの共有フォルダーに、「My Receipt 1」というファイル名の他の画像ファイルが偶然保存されている場合、制御部１０は、生成されたファイル名と同じファイル名が付されている画像ファイルが、送信先のフォルダーに保存されていると判定し（ステップＳ１６にてＹＥＳ）、表示部１６に、生成された画像ファイルを保存するか否かを選択するための選択画面を表示させる（ステップＳ１８）。
【００６０】
図８は、選択画面の一例を示す図である。図８を参照して、選択画面８０は、「同名のファイルが既に存在します。上書きしますか。」というメッセージ８２を含む。選択画面８０は、ソフトキーとして、画像ファイルの保存を許可する指示を入力するためのキー８４と、画像ファイルの保存を許可しない指示を入力するためのキー８６と、を含む。
【００６１】
ユーザーがキー８４を押下することで、タッチパネル１５Ａによってキー８４の押下が検知された場合、制御部１０は、画像ファイルの保存が許可されていると判定し（ステップＳ１９にてＹＥＳ）、生成された画像ファイルに生成されたファイル名を付して、通信部２１を介して、指定されている送信先に当該画像ファイルを送信する（ステップＳ１７）。これによって、「My Receipt 1」というファイル名が付されたＪＰＥＧ形式の画像ファイルが、ＰＣの共有フォルダーにおいて、既に保存されている同じファイル名が付されている画像ファイルに対して上書きして保存される。
【００６２】
一方、ユーザーがキー８６を押下することで、タッチパネル１５Ａによってキー８６の押下が検知された場合、制御部１０は、画像ファイルの上書きが許可されていないと判定し（ステップＳ１９にてＮＯ）、ファイル名生成処理を終了する。ファイル名生成処理の終了後、制御部１０は、表示部１６に、ホーム画面３０を再び表示させる。
【００６３】
「My Receipt 1」というファイル名が付された画像ファイルの送信後、制御部１０は、表示部１６に、ホーム画面３０を再び表示させる。ユーザーは、二枚目の領収書についてのＳＭＢ送信機能の利用を所望して、ホーム画面３０のキー３４を押下する。タッチパネル１５Ａによりキー３４の押下が検知されると、制御部１０は、表示部１６に、送信画面６０を表示させる。
【００６４】
ユーザーは、一枚目の領収書に対応する画像ファイルをＳＭＢ送信したときと同様にして、画像ファイルの送信先と、ファイル形式と、を入力する。ユーザーはさらに、ファイル名を入力するために、送信画面６０のキー６６を押下する。タッチパネル１５Ａによってキー６６の押下が検知されると、制御部１０は、表示部１６に、ファイル名を入力するための入力画面７０を表示させる。
【００６５】
図７Ａを参照して、ユーザーは、分類名を選択するために、ボタン７４を押下したものとする。図７Ｂを参照して、タッチパネル１５Ａによってキー７４の押下が検知されると、制御部１０は、入力画面７０上に、プルダウンリスト７５を表示させる。ユーザーは、プルダウンリスト７５を確認して、「領収書」という分類名が表示されている部分７５Ａを押下したものとする。
【００６６】
タッチパネル１５Ａによって部分７５Ａの押下が検知されると、制御部１０は、領域７２に「領収書」という分類名を表示させるとともに、領域７１に、当該分類名に対応する「My Receipt」という標準ファイル名を表示させる。ユーザーは、操作部１５を介して、指定ファイル名として「document」を入力したものとする。制御部１０は、操作部１５を介して指定ファイル名の入力を受け付けると、領域７１に、受け付けた指定ファイル名である「document」を表示させる。ユーザーは、表示されている指定ファイル名及び分類名を確認して、キー７３を押下する。
【００６７】
タッチパネル１５Ａによってキー７３の押下が検知されると、制御部１０は、領域７１及び領域７２にそれぞれ表示されている指定ファイル名及び分類名の入力を受け付ける。指定ファイル名及び分類名等の入力後、ユーザーは、画像読取部１１の図略のコンタクトガラスに、二枚目の領収書を載置して、操作部１５に備えられる図略のスタートキーを押下する。
【００６８】
図５を参照して、制御部１０は、図略のスタートキーの押下を検知すると、画像読取部１１に対し、図略のコンタクトガラスに載置されている原稿を読み取らせて画像データを生成させる（ステップＳ１０）。制御部１０は、生成された画像データから、ＪＰＥＧ形式の画像ファイルを生成する（ステップＳ１１）。
【００６９】
この場合、「領収書」という分類名を受け付けているので、制御部１０は、分類名を受け付けていると判定し（ステップＳ１２にてＹＥＳ）、受け付けた分類名に対応する変数ｉを「１」だけ増加させる（ステップＳ１３）。具体的には、制御部１０は、「領収書」という分類名に対応付けてＨＤＤ１９に記憶されている変数ｉを「１」だけ増加させる。これによって、変数ｉには「２」が代入される。
【００７０】
変数iの増加後、制御部１０は、受け付けた指定ファイル名の末尾に、変数iによって示される数値を追加することで、生成された画像ファイルに対応するファイル名を生成する（ステップＳ１４）。具体的には、制御部１０は、受け付けた「document」という指定ファイル名の末尾に、変数iによって示される数値である「２」を追加することで、「document 2」というファイル名を生成する。
【００７１】
この場合、指定されている送信先はＰＣの共有フォルダーであるので、制御部１０は、画像ファイルの送信先がフォルダーであると判定し（ステップＳ１５にてＹＥＳ）、生成されたファイル名と同じファイル名が付されている画像ファイルが、送信先のフォルダーに保存されているか否かを判定する（ステップＳ１６）。
【００７２】
この場合、ＰＣの共有フォルダーには、「document 2」というファイル名が付されている他の画像ファイルが保存されていないものとする。制御部１０は、生成されたファイル名と同じファイル名が付されている画像ファイルが、送信先のフォルダーに保存されていないと判定し（ステップＳ１６にてＮＯ）、生成された画像ファイルに生成されたファイル名を付して、通信部２１を介して、指定されている送信先に当該画像ファイルを送信する（ステップＳ１７）。これによって、「document 2」というファイル名が付された画像ファイルが、ＰＣの共有フォルダーに保存される。「document 2」というファイル名が付された画像ファイルの送信後、制御部１０は、表示部１６に、ホーム画面３０を再び表示させる。
【００７３】
図９は、共有フォルダーに保存されている画像ファイルの一例を示す図である。図９を参照して、２つの画像ファイルを受信した後のＰＣの共有フォルダー９０は、一枚目の領収書に基づく画像ファイル９１と、二枚目の領収書に基づく画像ファイル９２とを保存する。画像ファイル９１には、「My Receipt 1」というファイル名が付されている。画像ファイル９２には、「document 2」というファイル名が付されている。
【００７４】
画像ファイル９１，９２のＳＭＢ送信後、ユーザーは、履歴書に対応する画像ファイルをＳＭＢ送信する場合に、「履歴書」という分類名と、当該分類名に対応する「resume」という標準ファイル名と、を入力して、上記と同様の処理を実行したものとする。また更に、ユーザーは、証明書に対応する画像ファイルをＳＭＢ送信する場合には、「証明書」という分類名と、当該分類名に対応する「cert」という標準ファイル名と、を入力して、上記と同様の処理を実行したものとする。ユーザーは、その他の書類に対応する画像ファイルをＳＭＢ送信する場合には、「ジョブ番号」という分類名と、当該分類名に対応する「doc」という標準ファイル名と、を入力して、上記と同様の処理を実行したものとする。
【００７５】
図１０は、共有フォルダーに保存されている画像ファイルの他の一例を示す図である。図１０を参照して、複数の画像ファイルを受信した後のＰＣの共有フォルダー１００は、一枚目の領収書に基づく画像ファイル１０１と、二枚目の領収書に基づく画像ファイル１０２とを保存する。画像ファイル１０１には、「My Receipt 1」というファイル名が付されている。画像ファイル１０２には、「document 2」というファイル名が付されている。
【００７６】
共有フォルダー１００はまた、一枚目の履歴書に基づく画像ファイル１０３と、二枚目の履歴書に基づく画像ファイル１０５とを保存する。画像ファイル１０３には、「resume 1」というファイル名が付されている。画像ファイル１０５には、「resume 2」というファイル名が付されている。
【００７７】
共有フォルダー１００はさらに、一枚目の証明書に基づく画像ファイル１０４と、五十九枚目の書類に基づく画像ファイル１０６とを保存する。画像ファイル１０４には、「cert 1」というファイル名が付されている。画像ファイル１０６には、「doc 59」というファイル名が付されている。
【００７８】
（２−１−２）画像ファイルがメール送信される場合
ユーザーは、ＳＭＴＰ送信機能によって、領収書に対応する画像ファイルを、指定する電子メールアドレス宛てに送信することを所望しているものとする。この場合、ユーザーはまず、領収書についてのＳＭＢ送信機能の利用を所望して、ホーム画面３０のキー３４を押下する。タッチパネル１５Ａによりキー３４の押下が検知されると、制御部１０は、表示部１６に、送信画面６０を表示させる。
【００７９】
ユーザーは、送信画面６０を確認して、例えば、キー６１Ｂを押下することで、キー６１Ｂに対応付けて予め登録されている電子メールアドレスを、画像ファイルの送信先として入力する。ユーザーはまた、送信画面６０のキー６５を押下することで表示部１６に表示される図略のファイル形式入力画面に対する入力操作によって、画像ファイルのファイル形式を入力する。この場合、ＰＤＦ(Portable Document Format)形式が入力されたものとする。
【００８０】
画像ファイルの送信先及びファイル形式の入力後、ユーザーは、一枚目の領収書に対応する画像ファイルをＳＭＢ送信したときと同様にして、標準ファイル名及び分類名を入力する。標準ファイル名及び分類名の入力後、ユーザーは、画像読取部１１の図略のコンタクトガラスに、領収書を載置して、操作部１５に備えられる図略のスタートキーを押下する。
【００８１】
図５を参照して、制御部１０は、図略のスタートキーの押下を検知すると、画像読取部１１に対し、図略のコンタクトガラスに載置されている原稿を読み取らせて画像データを生成させる（ステップＳ１０）。制御部１０は、生成された画像データから、ＰＤＦ形式の画像ファイルを生成する（ステップＳ１１）。
【００８２】
この場合、「領収書」という分類名を受け付けているので、制御部１０は、分類名を受け付けていると判定し（ステップＳ１２にてＹＥＳ）、受け付けた分類名に対応する変数ｉを「１」だけ増加させる（ステップＳ１３）。具体的には、制御部１０は、「領収書」という分類名に対応付けてＨＤＤ１９に記憶されている変数ｉを「１」だけ増加させる。この場合、増加前の変数ｉは「２」を示しているので、変数ｉには「３」が代入される。
【００８３】
変数iの増加後、制御部１０は、受け付けた分類名に対応する標準ファイル名の末尾に、変数iによって示される数値を追加することで、生成された画像ファイルに対応するファイル名を生成する（ステップＳ１４）。具体的には、制御部１０は、「領収書」という分類名に対応付けてＨＤＤ１９に記憶されている「My Receipt」という標準ファイル名の末尾に、変数iによって示される数値である「３」を追加することで、「My Receipt 3」というファイル名を生成する。
【００８４】
この場合、指定されている送信先は電子メールアドレスであるので、制御部１０は、画像ファイルの送信先がフォルダーではないと判定し（ステップＳ１５にてＮＯ）、生成された画像ファイルに生成されたファイル名を付して、通信部２１を介して、指定されている送信先に当該画像ファイルを送信する（ステップＳ１７）。これによって、「My Receipt 3」というファイル名が付された画像ファイルが、指定されているメールアドレス宛てに送信される。「My Receipt 3」というファイル名が付された画像ファイルの送信後、制御部１０は、表示部１６に、ホーム画面３０を再び表示させる。
【００８５】
（２−２）指定ファイル名が入力される場合
ユーザーは、例えば請求書に対応する画像ファイルを、ＳＭＢ送信機能によって送信することを所望しているものとする。この場合、ユーザーはまず、ホーム画面３０のキー３４を押下する。タッチパネル１５Ａによりキー３４の押下が検知されると、制御部１０は、表示部１６に、送信画面６０を表示させる。
【００８６】
ユーザーは、一枚目の領収書に対応する画像ファイルをＳＭＢ送信したときと同様にして、画像ファイルの送信先と、ファイル形式とを入力する。ユーザーはまた、ファイル名を入力するために、送信画面６０のキー６６を押下する。タッチパネル１５Ａによってキー６６の押下が検知されると、制御部１０は、表示部１６に、入力画面７０を表示させる。
【００８７】
図１１Ａは、標準ファイル名を選択しないときの入力画面の状態を示す図である。図１１Ａを参照して、ユーザーが入力画面７０のボタン７４を押下することで、タッチパネル１５Ａによってキー７４の押下が検知されると、制御部１０は、入力画面７０上に、プルダウンリスト７５を表示させる。ユーザーは、プルダウンリスト７５を確認して、「なし」という項目が表示されている部分７５Ｂを押下したものとする。タッチパネル１５Ａによって部分７５Ｂの押下が検知されると、制御部１０は、領域７２に「なし」という項目を表示させる。このとき、領域７１には、何も表示されない。
【００８８】
図１１Ｂは、指定ファイル名を入力するときの入力画面の状態を示す図である。図１１Ｂを参照して、ユーザーは、操作部１５を介して、例えば「Invoice」という指定ファイル名を領域７１に入力して、キー７３を押下したものとする。タッチパネル１５Ａによってキー７３の押下が検知されると、制御部１０は、領域７１に表示されている指定ファイル名の入力を受け付ける。この場合、領域７２には分類名が入力されていないので、制御部１０は、分類名の入力を受け付けない。
【００８９】
指定ファイル名の入力後、ユーザーは、画像読取部１１の図略のコンタクトガラスに、請求書を載置して、操作部１５に備えられる図略のスタートキーを押下する。図５を参照して、制御部１０は、図略のスタートキーの押下を検知すると、画像読取部１１に対し、図略のコンタクトガラスに載置されている原稿を読み取らせて画像データを生成させる（ステップＳ１０）。制御部１０は、生成された画像データから、ＪＰＥＧ形式の画像ファイルを生成する（ステップＳ１１）。
【００９０】
画像ファイルの生成後、制御部１０は、分類名を受け付けていないと判定し（ステップＳ１２にてＮＯ）、生成された画像ファイルに指定ファイル名を付して、通信部２１を介して、指定されている送信先に当該画像ファイルを送信する（ステップＳ１７）。これによって、「Invoice」というファイル名が付されたＪＰＥＧ形式の画像ファイルが、ＰＣの共有フォルダーに保存される。
【００９１】
上記実施の形態によれば、制御部１０は、画像ファイルを生成するときに、操作部１５を介して分類名を受け付けると、生成された画像ファイルに対応するファイル名として、受け付けた分類名に分類される画像ファイルごとに異なる識別情報を含むファイル名を生成する。
【００９２】
これによって、同じ分類名に分類される画像ファイルに対して、異なるファイル名が付されるので、ユーザーが、新たに生成される画像ファイルに対して、同じ分類に属する他の画像ファイルに既に付されているファイル名と同じファイル名を付してしまうことを防ぐことができるので、他の画像ファイルに対して新たに生成される画像ファイルが上書き保存されてしまうことによって、ユーザーの意に反して、他の画像ファイルが削除されてしまうことを防ぐことができる。また、ファイル名の作成に要するユーザーの手間を省くことができるので、ユーザーの利便性が向上する。
【００９３】
また上記実施の形態によれば、識別情報は、画像ファイルが生成される順序に応じて付される通し番号であるので、複数の画像ファイルがそれぞれ異なる日時に生成される場合であっても、ユーザーは、画像ファイルが生成された順序を容易に把握することができる。例えば、ユーザーは、画像ファイル１０５に付されている通し番号である「２」を確認することで、画像ファイル１０５が生成された順序が２番目であることを容易に把握することができる。また、ユーザーは、ファイル名を作成するために通し番号を覚えておく必要がなくなるので、ユーザーの手間をより一層省くことができる。したがって、ユーザーの利便性がより一層向上する。
【００９４】
また上記実施の形態によれば、制御部１０は、受け付けた分類名に対応付けられている標準ファイル名に、通し番号を追加することでファイル名を生成する。これによって、ユーザーは、例えば、図１０に示す画像ファイル１０５の標準ファイル名である「resume」を確認することによって、画像ファイル１０５の分類が「履歴書」であることを容易に把握することができる。
【００９５】
また上記実施の形態によれば、制御部１０は、操作部１５を介して、標準ファイル名とは異なる指定ファイル名を受け付けた場合には、受け付けたファイル名に、通し番号を追加することでファイル名を生成する。これによって、制御部１０は、例えば、指定ファイル名を付す指示を受け付けている第１の画像ファイルと、標準ファイル名を付す指示を受け付けている第２の画像ファイルとが続けて生成される場合であって、指定ファイル名及び標準ファイル名に対して同じ分類名を設定する指示を受け付けている場合には、第１の画像ファイル及び第２の画像ファイルに対して、連続する通し番号を付与する。したがって、ユーザーは、ファイル名に指定ファイル名又は標準ファイル名が含まれている場合であっても、同じ分類に属する画像ファイルが生成された順序を容易に把握することができる。また、ユーザーは、通し番号を追加する対象として、指定ファイル名又は標準ファイル名を指定することができるので、ユーザーの利便性がさらに向上する。
【００９６】
また上記実施の形態によれば、制御部１０は、操作部１５を介して、画像ファイルの保存先を受け付けた場合に、画像ファイルを、生成されたファイル名を付して、受け付けた保存先に記憶させる。上記したように、ファイル名には同じ分類名に分類される画像ファイルごとに異なる識別情報が付されているので、画像ファイルの保存先において、他の画像ファイルに対して新たに生成される画像ファイルが上書き保存されてしまうことによって、ユーザーの意に反して、他の画像ファイルが削除されてしまうことを防ぐことができる。
【００９７】
（第１の変形例）
本発明の第１の変形例に係る画像形成装置１の構成は、制御部１０が日時情報を取得可能に構成される点、及び、「日時」を含む分類名が予め設定されている点等を除き、上記した実施の形態と構成である。以下、第１の変形例に係る画像形成装置１について、上記実施の形態と異なる構成について説明する。
【００９８】
第１の変形例において、制御部１０は、ＮＴＰ(Network Time Protocol)サーバーから、現在の日時を示す日時情報を取得可能に構成されている。
【００９９】
ＨＤＤ１９は、画像形成装置１の標準設定として予め設定されている分類名として、「日時」、「ジョブ番号」、「ジョブ番号及び日時」、及び「日時及びジョブ番号」を記憶している。ＨＤＤ１９は、ユーザーによる操作部１５を介した入力によって予め設定されている分類名として、「履歴書」、「証明書」、及び「領収書」を記憶している。
【０１００】
ＨＤＤ１９は、標準ファイル名である「doc」を、「ジョブ番号」を含む分類名に対応付けて記憶している。ＨＤＤ１９は、標準ファイル名である「resume」、「cert」、及び「My Receipt」を、分類名である「履歴書」、「証明書」、及び「領収書」のそれぞれに対応付けて記憶している。ＨＤＤ１９は、「日時 」を示す分類名に対応する標準ファイル名を記憶していない。
【０１０１】
制御部１０は、操作部１５を介して分類名を受け付けると、受け付けた分類名に対応する標準ファイル名に、変数によって示される通し番号を追加することでファイル名を生成する。制御部１０はまた、操作部１５を介して、「日時」を含む分類名を受け付けると、ＮＴＰサーバーから日時情報を取得して、受け付けた分類名に対応する標準ファイル名に、日時情報によって示される日時と、変数によって示される通し番号を追加することでファイル名を生成する。
【０１０２】
例えば、制御部１０は、「日時及びジョブ番号」を示す分類名を受け付けた場合であって、当該分類名に対応する変数が「１」を示す場合には、「doc 2018/01/01 13:00 1」というファイル名を生成する。制御部１０は、「日時」を示す分類名を受け付けた場合であって、当該分類名に対応する変数が「２」を示す場合には、「2018/01/01 13:00 2」というファイル名を生成する。
【０１０３】
なお、「日時」を含む分類名に対応付けてＨＤＤ１９に記憶されている変数は、日付が変更するごとにリセットされて、「０」が代入される。
【０１０４】
［動作］
以下、第１の変形例における画像ファイルを送信する場合の画像形成装置１の動作について説明するが、上記実施の形態と同じ動作については繰り返して説明しない。なお、「ジョブ番号及び日時」を示す分類名に対応する変数ｉには、「５」という数値が代入されているものとする。
【０１０５】
画像形成装置１の電源が投入されると、制御部１０は、表示部１６に、ホーム画面３０を表示させる。ユーザーは、例えば六枚目の納品書についてのＳＭＢ送信機能の利用を所望して、ホーム画面３０のキー３４を押下する。タッチパネル１５Ａによりキー３４の押下が検知されると、制御部１０は、表示部１６に、送信画面６０を表示させる。
【０１０６】
ユーザーは、上記実施の形態において一枚目の領収書に対応する画像ファイルをＳＭＢ送信したときと同様にして、画像ファイルの送信先と、ファイル形式とを入力する。画像ファイルの送信先及びファイル形式の入力後、ユーザーは、ファイル名を入力するために、送信画面６０のキー６６を押下する。タッチパネル１５Ａによってキー６６の押下が検知されると、制御部１０は、表示部１６に、標準ファイル名を入力するための入力画面を表示させる。
【０１０７】
図１２は、入力画面の他の一例を示す図である。図１２を参照して、入力画面１３０は、入力されているファイル名を表示するための領域１３１と、入力されている分類名を表示するための領域１３２と、を含む。入力画面１３０は、ソフトキーとして、ファイル名及び分類名の入力を確定する指示を入力するためのキー１３３を含む。ユーザーは、分類名を選択するために、ボタン１３４を押下したものとする。
【０１０８】
タッチパネル１５Ａによってキー１３４の押下が検知されると、制御部１０は、入力画面１３０上に、プルダウンリスト１３５を表示させる。プルダウンリスト１３５は、ＨＤＤ１９に記憶されている全ての分類名を示す項目と、及び、分類名を選択しないことを示す「なし」という項目と、を含む。この場合、プルダウンリスト１３５は、分類名として、「日時」、「ジョブ番号」、「ジョブ番号及び日時」、「日時及びジョブ番号」、「履歴書」、「証明書」、及び「領収書」をそれぞれ示す項目を含む。
【０１０９】
ユーザーは、プルダウンリスト１３５を確認して、「ジョブ番号及び日時」という分類名が表示されている部分１３５Ａを押下したものとする。タッチパネル１５Ａによって部分１３５Ａの押下が検知されると、制御部１０は、領域１３２に「ジョブ番号及び日時」という分類名を表示させるとともに、領域１３１に、当該分類名に対応する「doc」という標準ファイル名を表示させる。ユーザーは、表示されている標準ファイル名及び分類名を確認して、キー１３３を押下する。タッチパネル１５Ａによってキー１３３の押下が検知されると、制御部１０は、領域１３１及び領域１３２にそれぞれ表示されている標準ファイル名及び分類名の入力を受け付ける。
【０１１０】
標準ファイル名及び分類名の入力後、ユーザーは、画像読取部１１の図略のコンタクトガラスに納品書を載置して、操作部１５に備えられる図略のスタートキーを押下する。図５を参照して、制御部１０は、図略のスタートキーの押下を検知すると、画像読取部１１に対し、図略のコンタクトガラスに載置されている原稿を読み取らせて画像データを生成させる（ステップＳ１０）。制御部１０は、生成された画像データから、ＪＰＥＧ形式の画像ファイルを生成する（ステップＳ１１）。
【０１１１】
この場合、「ジョブ番号及び日時」という分類名を受け付けているので、制御部１０は、分類名を受け付けていると判定し（ステップＳ１２にてＹＥＳ）、受け付けた分類名に対応する変数ｉを「１」だけ増加させる（ステップＳ１３）。具体的には、制御部１０は、「ジョブ番号及び日時」という分類名に対応付けてＨＤＤ１９に記憶されている変数ｉを「１」だけ増加させる。これによって、変数ｉには「６」が代入される。
【０１１２】
変数iの増加後、制御部１０は、ＮＴＰサーバーから日時情報を取得して、受け付けた分類名に対応する標準ファイル名の末尾に、日時情報によって示される日時と、変数iによって示される数値を追加することで、生成された画像ファイルに対応するファイル名を生成する（ステップＳ１４）。具体的には、制御部１０は、「ジョブ番号及び日時」という分類名に対応付けてＨＤＤ１９に記憶されている「doc」という標準ファイル名の末尾に、画像ファイルを生成したときの日時を示す「2018/08/01 13:00」という情報と、変数iによって示される数値である「６」を追加することで、「doc 2018/08/01 13:00 6」というファイル名を生成する。
【０１１３】
この場合、指定されている送信先はＰＣの共有フォルダーであるので、制御部１０は、画像ファイルの送信先がフォルダーであると判定し（ステップＳ１５にてＹＥＳ）、生成されたファイル名と同じファイル名が付されている画像ファイルが、送信先のフォルダーに保存されているか否かを判定する（ステップＳ１６）。
【０１１４】
この場合、ＰＣの共有フォルダーには、「doc 2018/08/01 13:00 6」というファイル名が付されている他の画像ファイルが保存されていないものとする。制御部１０は、生成されたファイル名と同じファイル名が付されている画像ファイルが、送信先のフォルダーに保存されていないと判定し（ステップＳ１６にてＮＯ）、生成された画像ファイルに生成されたファイル名を付して、通信部２１を介して、指定されている送信先に当該画像ファイルを送信する（ステップＳ１７）。これによって、「doc 2018/08/01 13:00 6」というファイル名が付されたＪＰＥＧ形式の画像ファイルが、ＰＣの共有フォルダーに保存される。
【０１１５】
第１の変形例によれば、ユーザーは、ファイル名に付されている日時を確認することによって、ファイル名が生成されたときの日付を確認することができる。また、通し番号を示す変数は日付が変更されるごとにリセットされるので、ユーザーは、ファイル名に付されている通し番号を確認することで、ファイル名が生成された日における、画像ファイルが生成された順序を把握することができる。
【０１１６】
なお、第１の変形例では、制御部１０が、ＮＴＰサーバーから日時情報を取得したが、本発明はそのような実施の形態に限定されない。例えば、画像形成装置１は、日時情報を取得して、当該日時情報を制御部１０に対して出力する図略の時計部を備えていてもよい。時計部としては、一般的に使用されるものであれば特に限定されないが、例えば、ＲＴＣ(Real Time Clock)を使用できる。
【０１１７】
（その他の変形例）
上記実施の形態では、制御部１０は、画像データからＪＰＥＧ形式又はＰＤＦ形式の画像ファイルを生成したが、本発明はそのような実施の形態に限定されない。例えば、制御部１０は、ＴＩＦＦ(Tagged Image File Format)形式又はＸＰＳ(XML Paper Specification)形式の画像ファイルを生成してもよい。
【０１１８】
また上記実施の形態では、画像ファイルごとに異なる識別情報として、画像ファイルが生成される順序に応じて付される通し番号が使用されたが、本発明はそのような実施の形態に限定されない。例えば、識別情報は、制御部１０によって無作為に付与される番号又は文字等であってもよい。
【０１１９】
また上記実施の形態では、分類情報として分類名が使用されたが、本発明はそのような実施の形態に限定されない。分類情報は、画像ファイルを分類可能な情報であれば特に限定されないが、例えば、分類情報として分類番号が使用されてもよい。
【０１２０】
また上記実施の形態では、標準ファイル名の設定は、操作部１５を介して行なわれたが、本発明はそのような実施の形態に限定されない。例えば、ネットワークを介して接続されるＰＣに備えられる図略の操作部を介して、標準ファイル名の設定が行なわれる構成であってもよい。この場合、ＰＣに備えられる図略の表示部に、設定画面４０が表示される構成であることが好ましい。
【０１２１】
また実施の形態では、フォルダー送信としてＳＭＢ送信が実行されたが、本発明はそのような実施の形態に限定されず、ＦＴＰ送信が実行されてもよい。
【０１２２】
また上記実施の形態によれば、生成制御プログラムはＨＤＤ１９に記憶されていたが、本発明はそのような実施の形態に限定されない。例えば、生成制御プログラムは、コンピューター読み取り可能な非一時的な記録媒体（例えば、ハードディスク、ＣＤ−ＲＯＭ、ＤＶＤ−ＲＯＭ、又は半導体メモリー等）に記録されていてもよい。非一時的な記録媒体に記憶された生成制御プログラムは、光ディスクドライブ等の読取装置によって読み取られ、ＨＤＤ１９に転送されてもよいし、ネットワークを通じて画像形成装置１に送信されＨＤＤ１９に記憶されてもよい。また、非一時的な記録媒体から、又は、ネットワークを介して、直接に制御部１０のＲＡＭにロードされてもよい。
【０１２３】
なお、本発明は上記実施の形態の構成に限られず種々の変形が可能である。例えば、上記実施の形態では、本発明に係る画像読取装置の一実施形態としてカラー複合機を用いて説明しているが、これは一例に過ぎず、モノクロ複合機、コピー機、又はファクシミリ装置等の他の電子機器であってもよい。
【０１２４】
また、図１乃至図１２を用いて上記実施形態により示した構成及び処理は、本発明の一実施形態に過ぎず、本発明を当該構成及び処理に限定する趣旨ではない。
【符号の説明】
【０１２５】
１    画像形成装置
２    画像読取装置
１０  制御部
１１  画像読取部
１５  操作部
１６  表示部
１９  ＨＤＤ
２１  通信部
１００  制御ユニット
【図１】
2020038575.tif 000003
【図２】
2020038575.tif 000004
【図３】
2020038575.tif 000005
【図４Ａ】
2020038575.tif 000006
【図４Ｂ】
2020038575.tif 000007
【図５】
2020038575.tif 000008
【図６】
2020038575.tif 000009
【図７Ａ】
2020038575.tif 000010
【図７Ｂ】
2020038575.tif 000011
【図８】
2020038575.tif 000012
【図９】
2020038575.tif 000013
【図１０】
2020038575.tif 000014
【図１１Ａ】
2020038575.tif 000015
【図１１Ｂ】
2020038575.tif 000016
【図１２】
2020038575.tif 000017